(57)【特許請求の範囲】
【請求項１】
支持板に折り線を介して連設した一対の扉板を前記支持板の背面側で閉止した外箱と、
前記支持板の前面に接着される背面板と、
前記背面板の前方に突出して上面を開口した収納部と、
を備え、前記外箱と前記背面板と前記収納部が接合し一体化された展示具であって、
前記収納部は水平に配される底面板と、前記底面板に連結されているとともに前記底面板の両側方に立設される側面板と、両方の前記側面板を連結する前面板と、前記前面板の上端から折り返して前記底面板上に配される補強板とを有し、
前記側面板及び前記底面板が、組み立て後の状態における後端で折曲されるフラップを有し、前記フラップが前記背面板と前記外箱との間に挟んで接着され、
前記支持板、前記背面板及び前記収納部が連結されて一体となった状態のまま、前記側面板上に設けた折り線から成る第１折り畳み部及び前記底面板上に設けた折り線から成る第２折り畳み部で前記収納部を折り畳むとともに、前記補強板を前記前面板よりも上方に配置して、両方の前記扉板を前記支持板の前方で閉止することによって前記背面板と前記収納部を前記外箱内に収納でき、
前記第１折り畳み部は、前記側面板の前後方向の中央部に設けられた上下に延びた折り線から成り、
前記第２折り畳み部は、左右方向に延びる第１折曲部と、第１折曲部の両端を延長して第１折曲部と逆方向に折曲される第２折曲部と、第１折曲部の両端から前記底面板のコーナーに傾斜して延びる第３折曲部とを有し、第１折曲部の両端に孔部を設けるとともに、第２折曲部の開放端及び第３折曲部の前方の開放端に切欠きから成る底面切欠き部を設け、
前記収納部の外側からみて、第１折り畳み部、前記第１折曲部及前記第３折曲部で谷折りされるとともに、前記第２折曲部で山折りされることにより、前記収納部が折り畳まれることを特徴とする展示具。
【請求項２】
第１の折れ線が前記前面板と前記補強板との境界に設けられるとともに、第２、第３の折り線が前記補強板に設けられ、前記補強板は前記第２、第３の折り線を介して第１、第２、第３の折返し板に区分され、
組み立て後の状態で、前記第１、第２、第３の折り線が水平であるとともに、前記補強板が前記第１、第２、第３の折り線で折曲して前記底面板上で二重に形成されることを特徴とする請求項１に記載の展示具。
【請求項３】
組み立て後の状態における前記補強板の後端から前記背面板上に折り返される摘持部を設けたことを特徴とする請求項１または請求項２に記載の展示具。
【請求項４】
組み立て後の状態における前記底面板の下端と前記支持板の下端とを同じ高さに配したことを特徴とする請求項１〜請求項３のいずれかに記載の展示具。
【請求項５】
前記側面板が前記底面板に接着される糊代片を下端に有するとともに、組み立て後の状態における前記第１折り畳み部の下端に前記糊代片を分断する切欠きから成る側面切欠き部を有し、
分断された前記糊代片は、組み立て後の状態における前記底面板の上面に接着され、
組み立て後の状態における前記第１折り畳み部の下端は、前記第２折り畳み部の前記第２折曲部に設けられた前記底面切欠き部の位置に配置されていることを特徴とする請求項１〜請求項４のいずれかに記載の展示具。
【請求項６】
一方の前記扉板が開放端に沿ってスリット状の係合孔を有するとともに、他方の前記扉板が前記支持板との連結側に凸の切り込みにより形成した係止片と、開放端に沿って前記係止片の両端から外側に延びる折り線により折曲可能な把持部とを有し、前記把持部の折曲により切り起こされる前記係止片が前記係合孔に係脱することを特徴とする請求項１〜請求項５のいずれかに記載の展示具。
【請求項７】
収納された状態で前記係止片を前記第２折り畳み部で折り畳んだ前記底面板と重ならないように設けたことを特徴とする請求項６に記載の展示具。
【請求項８】
前記扉板が前記支持板の両側方に配されるとともに、前記支持板の上下にそれぞれ折り線を介して連設される上板及び下板を備え、収納された状態で、前記上板及び前記下板によりそれぞれ前記外箱の上端及び下端の開口を塞ぐことを特徴とする請求項１〜請求項７のいずれかに記載の展示具。
【発明の詳細な説明】
【技術分野】
【０００１】
本発明は、店舗等に設置される展示具に関する。
【背景技術】
【０００２】
スーパーマーケットやドラッグストア等の店舗内に設置されて商品を展示する従来の展示具は特許文献１に開示されている。この展示具は一のブランク板から組み立てられ、前面板、背面板、側面板、上板及び棚板を有する。前面板及び背面板は互いに対向し、折り線を介して両側方を側面板により連結して筒状の胴部が形成される。
【０００３】
上板は背面板の上端に連設され、背面板に沿って配される。上板には紐が挿通する孔部が設けられる。これにより、店舗の壁面に展示具を吊り下げることができる。棚板は前面板から切り起こされて先端部が背面板に設けた係止部に係止される。これにより、棚板は背面板に対して前方に突出し、前面板、側面板及び棚板により上面を開口した収納部が形成される。
【０００４】
上記従来の展示具は、胴部を対角位置の折り線で折曲した扁平状態で設置場所に搬送される。この時、棚板は前面板に沿った位置に配されている。これにより、展示具をコンパクトに折り畳んだ状態で設置場所に容易に搬送することができる。
【０００５】
そして、設置場所において、側面板が背面板に対して略垂直になるように胴部を起こして、前面板から切り起される棚板の先端部を係止部に係止することにより収納部が形成される。これにより、展示具が組み立てられ、収納部に商品等が収納されて展示される。したがって、設置場所において展示具を迅速かつ容易に組み立てることができる。
【先行技術文献】
【特許文献】
【０００６】
【特許文献１】登録実用新案第２５２１２５０号公報（第２頁、第１図、第３図）
【発明の概要】
【発明が解決しようとする課題】
【０００７】
上記従来の展示具は折り畳まれて外箱に収納された状態で設置場所に搬送されるのが一般的である。しかしながら、外箱が展示具の組み立て後に廃棄されるため、無駄になる問題があった。
【０００８】
本発明は、組み立て後に外箱を有効利用することができる展示具を提供することを目的とする。
【課題を解決するための手段】
【０００９】
上記目的を達成するために本発明の展示具は、
支持板に折り線を介して連設した一対の扉板を前記支持板の背面側で閉止した外箱と、
前記支持板の前面に接着される背面板と、
前記背面板の前方に突出して上面を開口した収納部と、
を備え、前記収納部は水平に配される底面板と、前記底面板の両側端に立設される側面板と、両方の前記側面板を連結する前面板と、前記前面板の上端から折り返して前記底面板上に配される補強板とを有し、
前記側面板上に設けた折り線から成る第１折り畳み部及び前記底面板上に設けた折り線から成る第２折り畳み部で前記収納部を折り畳むとともに、前記補強板を前記前面板よりも上方に配置して、両方の前記扉板を前記支持板の前方で閉止することによって前記収納部を前記外箱内に収納できることを特徴としている。
【００１０】
この構成によると、扉板を開いて外箱を開封した後に、折り畳まれた側面板及び底面板を伸張していくと、前面板が背面板から離れる方向に移動する。その後に、補強板を前面板の上端から折り返して底面板上に配置する。これにより、上面を開口した収納部が背面板の前方に突出して形成される。補強板上には商品等が載置される。また、展示具の組み立て後には、扉板は支持板の背面側で閉止される。
【００１１】
また本発明は、上記構成の展示具において、前記補強板が水平な折り線で折曲して前記底面板上で二重に形成されると好ましい。
【００１２】
また本発明は、上記構成の展示具において、前記補強板の後端から前記背面板上に折り返される摘持部を設けると好ましい。この構成によると、使用者が摘持部を摘持して上方へ向けて引くと、補強板は前面板の上端を中心に回動して前面板よりも上方へ移動する。
【００１３】
また本発明は、上記構成の展示具において、前記底面板の下端と前記支持板の下端とを同じ高さに配すると好ましい。この構成によると、展示具は収納部に支持されて自立する。
【００１４】
また本発明は、上記構成の展示具において、前記側面板及び前記底面板が後端で折曲されるフラップを有し、前記フラップが前記背面板と前記外箱との間に挟んで接着されると好ましい。
【００１５】
また本発明は、上記構成の展示具において、第２折り畳み部は左右方向に延びる第１折曲部と、第１折曲部の両端を延長して第１折曲部と逆方向に折曲される第２折曲部と、第１折曲部の両端から前記底面板のコーナーに傾斜して延びる第３折曲部とを有し、第１折曲部の両端に孔部を設けるとともに、第２折曲部の開放端及び第３折曲部の前方の開放端に切欠きから成る底面切欠き部を設けると好ましい。この構成によると、底面板は例えば第１折曲部及び第３折曲部で谷折りされるとともに第２折曲部で山折りされて折り畳まれる。
【００１６】
また本発明は、上記構成の展示具において、前記側面板が前記底面板に接着される糊代片を下端に有するとともに、第１折り畳み部の下端に前記糊代片を分断する切欠きから成る側面切欠き部を有すると好ましい。
【００１７】
また本発明は、上記構成の展示具において、一方の前記扉板が開放端に沿ってスリット状の係合孔を有するとともに、他方の前記扉板が前記支持板との連結側に凸の切り込みにより形成した係止片と、開放端に沿って前記係止片の両端から外側に延びる折り線により折曲可能な把持部とを有し、前記把持部の折曲により切り起こされる前記係止片が前記係合孔に係脱すると好ましい。
【００１８】
また本発明は、上記構成の展示具において、第２折り畳み部で折り畳んだ前記底面板と異なる高さに前記係止片を設けると好ましい。この構成によると、外箱内に収納部を収納した際に、係合孔に係止された係止片は折り畳まれた底面板に対向しない。
【００１９】
また本発明は、上記構成の展示具において、前記扉板が前記支持板の両側方に配されるとともに、前記支持板の上下にそれぞれ折り線を介して連設される上板及び下板を備え、前記上板及び前記下板によりそれぞれ前記外箱の上端及び下端の開口を塞ぐと好ましい。この構成によると、組み立て後の展示具の外箱及び収納部を収納した外箱において、外箱の上端及び下端の開口はそれぞれ上板及び下板により塞がれる。
【発明の効果】
【００２０】
本発明によると、外箱の支持板の前面に接着される背面板の前方に突出して上面を開口した収納部を備え、収納部の側面板上に設けた折り線から成る第１折り畳み部及び底面板上に設けた折り線から成る第２折り畳み部で収納部を折り畳むとともに、補強板を前面板よりも上方に配置して、外箱の両方の扉板を支持板の前方で閉止することによって収納部を外箱内に収納できる。これにより、展示具をコンパクトに折り畳んだ状態で外箱と一体にして設置場所に搬送し、設置場所で容易に組み立てることができる。また、展示具の組み立て後には外箱を展示具の一部として利用することができる。したがって、展示具の組み立て後でも外箱を有効利用することができる。
【図面の簡単な説明】
【００２１】
【図１】本発明の実施形態の展示具を正面側から見た斜視図
【図２】本発明の実施形態の展示具を背面側から見た斜視図
【図３】本発明の実施形態の展示具の外箱を形成するブランク板を示す展開図
【図４】本発明の実施形態の展示具の背面板を形成するブランク板を示す展開図
【図５】本発明の実施形態の展示具の背面板を示す正面図
【図６】本発明の実施形態の展示具の収納部を形成するブランク板を示す展開図
【図７】本発明の実施形態の展示具の収納部を背面板上で折り畳んだ様子を示す正面図
【図８】本発明の実施形態の展示具の外箱内に収納部を収納して扉板を互いに係止した様子を示す斜視図
【図９】本発明の実施形態の展示具の収納部を示す側面断面図
【発明を実施するための形態】
【００２２】
以下に本発明の実施形態を図面を参照して説明する。図１、図２は本発明の一実施形態の展示具を正面側から見た斜視図及び背面側から見た斜視図を示している。展示具１は、外箱１１、背面板２０及び収納部３０を有する。外箱１１は上下方向に長い箱状に形成され、前面に矩形の支持板３が配される。外箱１１の支持板３の両側方にはそれぞれ扉板４、５が連設され、上下には上板８及び下板９（図３参照）が連設される。扉板４、５は支持板３の背面側で閉止される。
【００２３】
背面板２０は矩形に形成され、両面粘着テープ８０（図３参照）により支持板３の前面に接着される。収納部３０は背面板２０の前方に突出して背面板２０の上下方向に２段設けられ、上面を開口して商品等を収納する。なお、収納部３０を１段のみ設けてもよく、３段以上設けてもよい。
【００２４】
背面板２０の上端部には２つの孔部７０が左右に並設される。孔部７０には紐状部材６０が挿通される。これにより、展示具１を店舗の壁面等に吊り下げることができる。また、収納部３０に収納される商品に関する絵、写真や文字等を背面板２０の前面に印刷することにより、商品の広告宣伝を行うことができる。なお、背面板２０の前面は無地でもよく、また商品とは関係のない模様等を背面板２０の前面に描画してもよい。
【００２５】
収納部３０は底面板１０（図６参照）、一対の側面板６、７、前面板２及び補強板１３を有する。底面板１０は背面板２０に対して前方に突出して水平に配され、収納部３０の底面を形成する。側面板６、７はそれぞれ底面板１０の両側端に立設され、後端を支持板３に接着される。前面板２は側面板６、７の前端間を連結し、背面板２０に対向する。また、底面板１０上には前面板２の上端に連設して折曲される補強板１３が配される。
【００２６】
図３は展示具１の外箱１１を形成するブランク板２１を示す展開図である。ブランク板２１は段ボール紙により形成される。なお、例えばマニラボール、ボール紙、カード紙、クラフトボール等の板紙によりブランク板２１を形成してもよい。また、樹脂シートによりブランク板２１を形成してもよい。
【００２７】
ブランク板２１は支持板３の両側方に折り線５０を介してそれぞれ扉板４、５が連設される。支持板３の上下端には折り線５０を介してそれぞれ上板８及び下板９が連設される。扉板４、５、上板８及び下板９の支持板３側にはそれぞれマチ部１２が形成される。支持板３の前面には上下に延びる両面粘着テープ８０が３箇所に貼着される。
【００２８】
左方の扉板４の左端部には支持板３との連結側に凸の切込み４１ａ、４１ｂが上下に並設される。また、扉板４の開放端（図中、左端）に沿って切込み４１ａ、４１ｂの上下端から外側に向かって上下方向に延びる折り線５０により、扉板４の開放端には折曲可能な把持部４２が形成される。把持部４２を折曲することにより、切込み４１ａ、４１ｂにより形成される係止片４ａ、４ｂが切り起こされて立ち上がる。
【００２９】
右方の扉板５には開放端（図中、右端）に沿ってスリット状の係合孔５ａ、５ｂが上下に並設される。係合孔５ａ、５ｂにそれぞれ係止片４ａ、４ｂが係脱することによって扉板４、５が開閉される。
【００３０】
なお、切込み４１ａ、４１ｂの内側には係止片４ａ、４ｂと把持部４２とを跨ぐように例えば樹脂から成るフィルム状部材４５が貼着される。フィルム状部材４５により折り線５０に沿った係止片４ａ、４ｂの折曲を防止することができる。したがって、把持部４２の折曲によって係止片４ａ、４ｂを確実に立ち上げることができる。
【００３１】
図４は展示具１の背面板２０を形成するブランク板２２を示す展開図である。ブランク板２２はロール紙や紙製のシートを打ち抜いて形成される。ブランク板２２の材質に特に限定はないが、例えばマニラボール、ボール紙、カード紙、クラフトボール等の板紙を用いることができる。なお、樹脂シートによりブランク板２２を形成してもよい。
【００３２】
背面板２０の上下端にはそれぞれ折り線５０を介して折返し片２０ａ、２０ｂが連設される。背面板２０の左右端にはそれぞれ折り線５０を介して折返し片２０ｃ、２０ｄが連設される。背面板２０の上端部及び折返し片２０ａには孔部７０がそれぞれ２箇所に設けられる。折返し片２０ａを折り線５０で略１８０°折り返すと背面板２０の孔部７０と折返し片２０ａの孔部７０とが重なり、紐状部材６０（図１参照）が挿通される。
【００３３】
背面板２０の上下方向の中央部には左右方向に延びるスリット２５ａが設けられる。折返し片２０ｂの上端の折り線５０上には左右方向に延びるスリット２５ｂが設けられる。上方のスリット２５ａには後述する上段の収納部３０のフラップ１０ａ（図６参照）が挿入される。
【００３４】
折返し片２０ｄの左端の折り線５０上には上下方向に延びるスリット２６ａ及びスリット２６ｂが形成される。折返し片２０ｃの右端の折り線５０上には上下方向に延びるスリット２６ｃ及びスリット２６ｄが形成される。スリット２６ａ及びスリット２６ｃは背面板２０の上下方向の略中央部に設けられる。スリット２６ｂ及びスリット２６ｄは下端を開放して背面板２０の下端部に設けられる。
【００３５】
図５は背面板２０を示す正面図である。ブランク板２２は折返し片２０ａ〜２０ｄが背面板２０の内面（背面）へ向けて折り線５０で略１８０°折り曲げられる。そして、折返し片２０ａ〜２０ｄは接着剤等により背面板２０の内面に接着される。これにより、背面板２０の強度を向上させることができる。
【００３６】
この時、背面板２０の下端にはスリット２５ｂ（図４参照）によって左右方向に延びる切欠き部２５１ｂが形成される。背面板２０の両側端にはスリット２６ａ〜２６ｄ（図４参照）によって上下方向に延びる切欠き部２６１ａ〜２６１ｄが形成される。
【００３７】
図６は展示具１の収納部３０を形成するブランク板２３の展開図を示している。なお、上段及び下段の収納部３０は同じブランク板２３により形成される。ブランク板２３はロール紙や紙製のシートを打ち抜いて形成される。ブランク板２３の材質に特に限定はないが、例えばマニラボール、ボール紙、カード紙、クラフトボール等の板紙を用いることができる。なお、樹脂シートによりブランク板２３を形成してもよい。
【００３８】
ブランク板２３は前面板２の一側方に折り線５０を介して側面板６及びフラップ６ｃが連設され、他側方に折り線５０を介して側面板７及びフラップ７ｃが連設される。側面板６、７の前後方向の中央部には上下に延びた折り線５０から成る第１折り畳み部６ａ、７ａが設けられる。
【００３９】
側面板６、７の下端にはそれぞれ折り線５０を介して糊代片６ｂ、７ｂが連設される。糊代片６ｂ、７ｂはそれぞれ第１折り畳み部６ａ、７ａの延長上に配される側面切欠き部６ｄ、７ｄにより２つに分断される。
【００４０】
前面板２の下端には折り線５０を介して底面板１０が連設され、底面板１０の下端には折り線５０を介してフラップ１０ａが連設される。底面板１０には複数の折り線５０から成る第２折り畳み部１４が設けられる。第２折り畳み部１４は第１折曲部１４ａ、第２折曲部１４ｂ、第３折曲部１４ｃを有している。
【００４１】
第１折曲部１４ａは左右方向に延び、前後方向（図６において上下方向）の中央部に設けられる。第２折曲部１４ｂは第１折曲部１４ａの両端を左右方向に延長し、第１折曲部１４ａと逆方向に折曲される。第３折曲部１４ｃは第１折曲部１４ａの両端から底面板１０の各コーナーに向けて傾斜して延びる。
【００４２】
また、第１折曲部１４ａの両端には孔部１４ｄが設けられる。第２折曲部１４ｂの開放端及び第３折曲部１４ｃの前方（図６においては上方）の開放端には切欠きから成る底面切欠き部１４ｅが設けられる。
【００４３】
前面板２の上方には折り線５０を介して補強板１３が連設される。補強板１３は水平な折り線５０を介して折返し板１３ｂ、１３ｃ、１３ｄに区分される。折返し板１３ｂは前面板２の背面側に面し、折返し板１３ｃ、１３ｄは折返しにより接着剤等により貼り合わせて２重に形成して底面板１０上に配される。また、折返し板１３ｄの下端の折り線５０上には上方に凸の切込み１３ｅが設けられ、切込み１３ｅにより折返し板１３ｄから切り起こされる摘持部１３ａが形成される。
【００４４】
ブランク板２３は側面板６、７の糊代片６ｂ、７ｂを略９０°折り曲げて底面板１０の上面に接着剤等により接着される。一方のブランク板２３のフラップ６ｃ、７ｃはそれぞれ切欠き部２６１ａ、２６１ｃ（図５参照）上を通って背面板２０（図５参照）の背面側に接着される。一方のブランク板２３のフラップ１０ａはスリット２５ａ（図５参照）に挿通して背面板２０（図５参照）の背面側に接着される。これにより、上段の収納部３０が背面板２０（図５参照）に取り付けられる。
【００４５】
他方のブランク板２３のフラップ６ｃ、７ｃはそれぞれ切欠き部２６１ｂ、２６１ｄ（図５参照）上を通って背面板２０（図５参照）の背面側に接着される。他方のブランク板２３のフラップ１０ａは切欠き部２５１ｂ（図５参照）上を通って背面板２０（図５参照）の背面側に接着される。これにより、下段の収納部３０が背面板２０（図５参照）に取り付けられる。
【００４６】
図７は展示具１を展開した正面図を示している。同図において、紐状部材６０（図１参照）の図示を省略している。支持板３の前面には収納部３０を取り付けた背面板２０が両面粘着テープ８０（図３参照）により接着される。この時、下段の収納部３０の底面板１０の下端と支持板３の下端とは略同じ高さに配される。
【００４７】
収納部３０の補強板１３を前面板２の上方に配して側面板６、７は第１折り畳み部６ａ、７ａ（図６参照）で折り畳まれる。また、底面板１０は収納部３０の外側から見て第１折曲部１４ａ及び第３折曲部１４ｃで谷折りされるとともに、第２折曲部１４ｂで山折りされる。すなわち、底面板１０は中央部が収納部３０の内側へ入り込むように第２折り畳み部１４で折り畳まれる。これにより、前面板２が背面板２０に近接して重ねられ、収納部３０が背面板２０上に折り畳まれる。
【００４８】
この時、ブランク板２３に孔部１４ｄ、底面切欠き部１４ｅ及び側面切欠き部６ｄ、７ｄを設けているため、底面板１０及び側面板６、７を容易に折り畳むことができる。
【００４９】
展示具１の搬送時には収納部３０を折り畳んだ状態で上板８及び下板９を背面板２０の前面側に折曲し、扉板４、５を背面板２０の前面側に折曲する。そして、把持部４２を折曲して係止片４ａ、４ｂを係合孔５ａ、５ｂに挿入し、図８に示すように扉板４、５が支持板３の前方で閉じられる。これにより、収納部３０が外箱１１内に収納される。
【００５０】
この時、把持部４２を把持して把持部４２を折り線５０で折り曲げると、係止片４ａ、４ｂが扉板４から同時に立ち上がる。このため、係止片４ａ、４ｂを係合孔５ａ、５ｂに容易に挿入することができる。
【００５１】
また、係止片４ａ、４ｂは第２折り畳み部１４で折り畳まれた底面板１０と異なる高さに設けられる。折り畳まれた底面板１０は前面板２に重なるため収納部３０の厚みが大きくなり、底面板１０と異なる位置では収納部３０の厚みが補強板１３の厚みとなる。このため、係合孔５ａ、５ｂの背面側のスペースを広く形成して係止片４ａ、４ｂを容易に係合孔５ａ、５ｂに挿入することができる。
【００５２】
図８に示すように収納部３０を外箱１１に収納した状態で設置場所へ搬送し、保管することができる。また、搬送及び保管の際に、組み立て後に顧客等に視認されやすい収納部３０の損傷等を防止することができる。また、展示具１の廃棄の際には外箱１１内に収納部３０を収納することにより展示具１の減容化を図ってゴミ容量を削減することができる。
【００５３】
この時、マチ部１２が支持板３に対して略垂直になるように配されるため、収納部３０を収納する空間を外箱１１内に十分に確保することができる。なお、マチ部１２を省いてもよい。
【００５４】
展示具１は設置場所において、図８の外箱１１の閉止状態から係止片４ａ、４ｂを係合孔５ａ、５ｂから脱離して、扉板４、５を互いに離れる方向に回動させる。これにより、外箱１１を開封することができる。この時、図８の状態において把持部４２を把持して前方へ引くことにより、係止片４ａ、４ｂを同時に係合孔５ａ、５ｂから容易に抜くことができる。したがって、外箱１１の開封性を向上させることができる。
【００５５】
次に、上板８及び下板９を支持板３の後方に回動し、扉板４、５を支持板３の後方に回動して係止片４ａ、４ｂをそれぞれ係合孔５ａ、５ｂに挿入する。これにより、扉板４、５が支持板３の背面側で閉止される。
【００５６】
そして、折り畳まれている側面板６、７及び底面板１０を背面板２０の前方に向けて伸張する。その後に、補強板１３を前面板２の上端で折り返して底面板１０上に配置する。これにより、図１、図２に示すように、上面を開口した収納部３０が背面板２０に対して前方に突出して形成され、展示具１を設置場所で容易に組み立てることができる。この時、補強板１３の摘持部１３ａが切り起こしにより背面板２０上に折り返される。摘持部１３ａは収納部３０を折り畳む際に摘持して補強板１３を底面板１０上から取り外す。
【００５７】
その後に、紐状部材６０を介して展示具１を店舗の壁面等に掛け、補強板１３上に商品を載置する。これにより、商品の展示が行われる。なお、展示具１を店舗の床面上や机上に設置してもよい。
【００５８】
図９は下段の収納部３０を示す側面断面図である。底面板１０は後端のフラップ１０ａが背面板２０と支持板３との間に挟んで接着剤等により接着される。また、側面板６、７は後端のフラップ６ｃ、７ｃが背面板２０と支持板３との間に挟んで接着剤等により接着される。これにより、収納部３０を背面板２０に確実に取り付けることができる。また、フラップ６ｃ、７ｃ、１０ａは視認されないため、展示具１の美観を向上させることができる。
【００５９】
また、下段の底面板１０の下端は支持板３の下端と同じ高さに配される。これにより、展示具１を下段の収納部３０により支持されて自立させることができる。したがって、展示具１を店舗の床面上や机上等に安定して設置することができる。
【００６０】
また、折返し板１３ｄを折り線５０で折曲し、折返し板１３ｃの内面に接着剤等により接着する。これにより、補強板１３は水平な折り線５０で折曲して底面板１０上で二重に形成される。したがって、収納部３０に商品等を収納した際に底面板１０の撓みを防止することができる。また、補強板１３は側面板６、７の下端部に当接するため、第１折り畳み部６ａ、７ａによる側面板６、７の内側に向かう撓みを低減することができる。
【００６１】
なお、図中、１３ｆは摘持部１３ａの切り起こしにより折返し板１３ｄ上に形成される切欠き部である。
【００６２】
本実施形態によると、第１折り畳み部６ａ、７ａでそれぞれ側面板６、７を折り畳むとともに第２折り畳み部１４で底面板１０を折り畳み、補強板１３を前面板２よりも上方に配置して、扉板４、５を支持板３の前方で閉止することによって収納部３０を外箱１１内に収納することができる。これにより、展示具１をコンパクトに折り畳んだ状態で外箱１１と一体にして設置場所に搬送し、設置場所で容易に組み立てることができる。また、展示具１の組み立て後には外箱１１を展示具１の一部として利用することができる。したがって、展示具１の組み立て後でも外箱１１を有効利用することができる。
【００６３】
また、補強板１３が水平な折り線５０で折曲して底面板１０上で二重に形成されるため、収納部３０に商品等を収納した際の底面板１０の撓みを防止することができる。また、補強板１３が側面板６、７の下端部に当接するため、側面板６、７の収納部３０の内側への撓みを防止することができる。したがって、収納部３０の型崩れを防止することができる。
【００６４】
また、補強板１３の後端から背面板２０上に折り返される摘持部１３ａを設けている。これにより、摘持部１３ａを摘持して上方に向けて引くと補強板１３が底面板１０から容易に離間して前面板２の上方に配される。したがって、収納部３０を容易に折り畳むことができる。
【００６５】
また、下段の底面板１０の下端と支持板３の下端とを同じ高さに配するため、展示具１は下段の収納部３０により支持されて自立する。これにより、展示具１を店舗の床面上や机上等に安定して設置することができる。
【００６６】
また、側面板６、７及び底面板１０が後端で折曲されるフラップ６ｃ、７ｃ、１０ａを有し、フラップ６ｃ、７ｃ、１０ａが背面板２０と外箱１１との間に挟んで接着される。これにより、収納部３０を外箱１１に確実に取り付けることができる。また、フラップ６ｃ、７ｃ、１０ａが視認されないため、展示具１の美観を向上させることができる。
【００６７】
また、第２折り畳み部１４は左右方向に延びる第１折曲部１４ａと、第１折曲部１４ａの両端を延長して第１折曲部１４ａと逆方向に折曲される第２折曲部１４ｂと、第１折曲部１４ａの両端から底面板１０のコーナーに傾斜して延びる第３折曲部１４ｃとを有し、第１折曲部１４ａの両端に孔部１４ｄを設けるとともに、第２折曲部１４ｂの開放端及び第３折曲部１４ｃの前方の開放端に切欠きから成る底面切欠き部１４ｅを設ける。これにより、底面板１０を容易に折り畳むことができる。
【００６８】
また、側面板６、７が底面板１０に接着される糊代片６ｂ、７ｂを下端に有するとともに、第１折り畳み部６ａ、７ａの下端に糊代片６ｂ、７ｂを分断する切欠きから成る側面切欠き部６ｄ、７ｄを有する。これにより、側面板６、７を容易に折り畳むことができる。
【００６９】
また、扉板５が開放端に沿ってスリット状の係合孔５ａ、５ｂを有するとともに、扉板４が支持板３との連結側に凸の切り込み４１ａ、４１ｂによりそれぞれ形成した係止片４ａ、４ｂと、開放端に沿って係止片４ａ、４ｂの両端から外側に延びる折り線５０により折曲可能な把持部４２とを有する。そして、把持部４２の折曲により切り起こされる係止片４ａ、４ｂがそれぞれ係合孔５ａ、５ｂに係脱する。これにより、係止片４ａ、４ｂを係合孔５ａ、５ｂへ容易に挿入できるとともに、係止片４ａ、４ｂを係合孔５ａ、５ｂから容易に抜くことができる。
【００７０】
また、係止片４ａ、４ｂ及び係合孔５ａ、５ｂによって扉板４、５を互いに係止して外箱１１が閉止されるので、展示具１の搬送時や保管時の外箱１１の開放を容易に防止することができる。したがって、展示具１の搬送時や保管時の収納部３０の損傷等を容易に防止することができる。
【００７１】
また、係止片４ａ、４ｂを第２折り畳み部１４で折り畳んだ底面板１０と異なる高さに設けるため、係合孔５ａ、５ｂに係止片４ａ、４ｂを挿入した際に、係止片４ａ、４ｂと折り畳まれた収納部３０との衝突を防止することができる。したがって、外箱１１の閉止性を向上させることができる。
【００７２】
また、上板８及び下板９によりそれぞれ外箱１１の上端及び下端の開口を塞ぐため、展示具１の搬送時や保管時の収納部３０の損傷等を一層容易に防止することができる。
【００７３】
また、外箱１１の開封時に扉板４、５が支持板３の後方に回動して係止片４ａ、４ｂ及び係合孔５ａ、５ｂによって互いに係止される。これにより、支持板３の強度を向上させることができる。
【００７４】
この時、支持板３に対して略垂直に配されたマチ部１２によって、支持板３の撓みを低減し、ひいては展示具１の型崩れを防止することができる。
【００７５】
なお、本実施形態において、外箱１１の開封時に扉板４、５の少なくとも一方を支持板３に沿って支持板３の側方に配してもよい。この場合に、収納部３０に収納される商品に関する絵、写真や文字等を扉板４、５の前面に印刷すると、商品の広告宣伝を容易に行うことができるので好ましい。
【００７６】
また、外箱１１の開封時に上板８及び下板９を支持板３に沿ってそれぞれ支持板３の上下に配し、上板８及び下板９の両方の前面に商品に関する絵、写真や文字等を印刷して商品の広告宣伝を行ってもよい。この時、さらに扉板４、５の両方を支持板３に沿って支持板３の側方に配し、扉板４、５の両方の前面に商品に関する絵、写真や文字等を表示して商品の広告宣伝を行ってもよい。これにより、正面から見て収納部３０に収納される商品を囲むように広告が表示される。したがって、収納部３０に収納される商品について一層インパクトのある広告宣伝を行うことができる。
【００７７】
また、上板８及び下板９を省いて左右の二方向から外箱１１を閉止してもよい。また、扉板４、５を互いに係止して外箱１１を閉止しているが、上板８（扉板）及び下板９（扉板）を互いに係止して外箱１１を閉止してもよい。この時、扉板４、５を省いて上下の二方向から外箱１１を閉止してもよい。
【００７８】
また、係止片４ａ、４ｂ及び係合孔５ａ、５ｂに替えて、扉板４、５に面ファスナーを設けてもよい。面ファスナーはフック状に起毛されたフック部とループ状に密集して起毛されたループ部とから成る。例えば、扉板４にフック部を設けるとともに扉板５にループ部を設け、フック部とループ部とを互いに押し付け合うことにより扉板４、５を閉止してもよい。
【産業上の利用可能性】
【００７９】
本発明は、店舗等に設置される展示具に利用することができる。
【符号の説明】
【００８０】
１      展示具
２      前面板
３      支持板
４、５    扉板
４ａ、４ｂ    係止片
５ａ、５ｂ    係合孔
６、７    側面板
６ａ、７ａ    第１折り畳み部
６ｂ、７ｂ    糊代片
６ｃ、７ｃ    フラップ
６ｄ、７ｄ    側面切欠き部
８      上板
９      下板
１０      底面板
１０ａ    フラップ
１１      外箱
１２      マチ部
１３      補強板
１３ａ    摘持部
１３ｂ、１３ｃ、１３ｄ    折返し板
１４      第２折り畳み部
１４ａ    第１折曲部
１４ｂ    第２折曲部
１４ｃ    第３折曲部
１４ｄ    孔部
１４ｅ    底面切欠き部
２０      背面板
２１、２２、２３    ブランク板
３０      収納部
４１ａ、４１ｂ    切込み
４２      把持部
４５      フィルム状部材
５０      折り線
６０      紐状部材
７０      孔部
【図１】
0006361325.tif 000002
【図２】
0006361325.tif 000003
【図３】
0006361325.tif 000004
【図４】
0006361325.tif 000005
【図５】
0006361325.tif 000006
【図６】
0006361325.tif 000007
【図７】
0006361325.tif 000008
【図８】
0006361325.tif 000009
【図９】
0006361325.tif 000010